(57)【要約】【課題】ケーブルの脱離を簡単な構成によって抑制することができるケーブルの取付構造を提供する。【解決手段】ケーブルの取付構造は、ベース部１１の取付面１１ａから延出され、ケーブル（ワイヤハーネス１００）の外周を取り囲むとともに取付面１１ａに対して間隔をおいて設けられた先端部２１を有する囲繞部２０と、囲繞部２０の先端部２１から取付面１１ａに向かって延出され、囲繞部２０に対して傾動可能に支持された係止片２３と、取付面１１ａに突設され、係止片２３の先端部が弾性力により係止されることで囲繞部２０の外側への係止片２３の傾動を阻止する一方、囲繞部２０の内側への係止片２３の傾動を許容する係止突部３０とを備える。【選択図】図１
2020072497.tif 000002
【特許請求の範囲】
【請求項１】
ベース部に対してケーブルを着脱可能に取り付けるケーブルの取付構造であって、
前記ベース部の取付面から延出され、前記ケーブルの外周を取り囲むとともに前記取付面に対して間隔をおいて設けられた先端部を有する囲繞部と、
前記囲繞部の先端部から前記取付面に向かって延出され、前記囲繞部に対して傾動可能に支持された係止片と、
前記取付面に突設され、前記係止片の先端部が弾性力により係止されることで前記囲繞部の外側への前記係止片の傾動を阻止する一方、前記囲繞部の内側への前記係止片の傾動を許容する係止突部と、を備える、
ケーブルの取付構造。
【請求項２】
前記係止突部は、前記係止片の先端部が係止される係止面を有しており、
前記係止面は、前記囲繞部の基端から前記係止突部に向かう方向において前記基端から離間するほど前記取付面からの高さが大きくなるように傾斜している、
請求項１に記載のケーブルの取付構造。
【請求項３】
前記係止突部は、前記囲繞部の外側から内側への前記ケーブルの移動を案内する案内面を有しており、
前記案内面は、前記囲繞部の基端から前記係止突部に向かう方向において前記囲繞部の基端から離間するほど前記取付面からの高さが小さくなるように傾斜している、
請求項１または請求項２に記載のケーブルの取付構造。
【請求項４】
前記囲繞部の先端部には、前記囲繞部の他の部位よりも脆弱な脆弱部が設けられており、
前記係止片は、前記脆弱部が弾性変形することで前記囲繞部に対して傾動可能である、
請求項１〜請求項３のいずれか一項に記載のケーブルの取付構造。
【請求項５】
前記係止片には、前記係止片を傾動させるための操作部が延出されている、
請求項１〜請求項４のいずれか一項に記載のケーブルの取付構造。
【請求項６】
前記操作部は、前記係止片の先端側とは反対側に向かって延出されている、
請求項５に記載のケーブルの取付構造。
【請求項７】
前記囲繞部には、リブが突設されている、
請求項１〜請求項６のいずれか一項に記載のケーブルの取付構造。
【発明の詳細な説明】
【技術分野】
【０００１】
本発明は、ベース部に対してケーブルを着脱可能に取り付けるケーブルの取付構造に関する。
【背景技術】
【０００２】
特許文献１には、車両に配索されるワイヤハーネスの配索経路の途中において、ドアトリムに一体に形成されたクランプによりワイヤハーネスを保持することで当該配索経路を規制するワイヤハーネス取付構造が開示されている。同文献１に記載のワイヤハーネス取付構造は、ワイヤハーネスが取り付けられるベース部と、ベース部に一体的に延設され、ベース部におけるワイヤハーネス取付面との間にワイヤハーネスが抜け止めされた状態でワイヤハーネスを保持する一対のクランプとを備えている。また、上記ワイヤハーネス取付構造は、一対のクランプの間に配置され、クランプで保持されたワイヤハーネスを押圧し当該ワイヤハーネスの軸芯の位置をずらす突設部を備えている。また、各クランプは、ベース部から延出し弾性変形可能な湾曲片と、湾曲片の自由端側に設けられ湾曲片が弾性変形してワイヤハーネスの挿入を許容する挿入部と、湾曲片の基部側に設けられ挿入部から挿入されたワイヤハーネスを保持する保持部とを有している。
【先行技術文献】
【特許文献】
【０００３】
【特許文献１】特開２０１２−９５４３７号公報
【発明の概要】
【発明が解決しようとする課題】
【０００４】
ところで、特許文献１に記載のワイヤハーネス取付構造においては、ベース部とクランプとの間にワイヤハーネスを挿入するための隙間が設けられている。このため、例えばクランプに保持されたワイヤハーネスが意図せず引っ張られた場合に、上記隙間を通じてワイヤハーネスが脱離するおそれがある。
【０００５】
一方、こうしたワイヤハーネスの脱離を抑制すべく、上記隙間を小さく設定した場合には、ワイヤハーネスを着脱しにくくなるおそれがある。
本発明の目的は、ケーブルの脱離を簡単な構成によって抑制することのできるケーブルの取付構造を提供することにある。
【課題を解決するための手段】
【０００６】
上記目的を達成するためのケーブルの取付構造は、ベース部に対してケーブルを着脱可能に取り付けるケーブルの取付構造であって、前記ベース部の取付面から延出され、前記ケーブルの外周を取り囲むとともに前記取付面に対して間隔をおいて設けられた先端部を有する囲繞部と、前記囲繞部の先端部から前記取付面に向かって延出され、前記囲繞部に対して傾動可能に支持された係止片と、前記取付面に突設され、前記係止片の先端部が弾性力により係止されることで前記囲繞部の外側への前記係止片の傾動を阻止する一方、前記囲繞部の内側への前記係止片の傾動を許容する係止突部と、を備える。
【０００７】
同構成によれば、係止片が係止突部に係止されている係止位置にあるときには、囲繞部の先端部と係止突部との間が係止片によって閉じられている。一方、係止片が係止突部から離間されている離間位置にあるときには、係止片と係止突部との間に隙間が形成される。このため、ベース部に対してケーブルを取り付ける場合には、係止片を離間位置に傾動させることで、上記隙間を通じて囲繞部の内側にケーブルを移動させることができる。また、係止片に外力が作用していない状態においては、自身の弾性力により係止片の先端部が係止突部に係止されるため、上記隙間がなくなり、ベース部の取付面、囲繞部、係止片、及び係止突部によってケーブルの全周が取り囲まれることとなる。更に、係止突部に係止片の先端部が係止されることによって、囲繞部の外側への係止片の傾動が阻止される。これにより、ケーブルの脱離を抑制することができる。
【０００８】
一方、ベース部からケーブルを取り外す場合には、係止片を係止位置に傾動させることで、上記隙間を通じて囲繞部の外側にケーブルを移動させることができる。
上記ケーブルの取付構造において、前記係止突部は、前記係止片の先端部が係止される係止面を有しており、前記係止面は、前記囲繞部の基端から前記係止突部に向かう方向において前記基端から離間するほど前記取付面からの高さが大きくなるように傾斜していることが好ましい。
【０００９】
同構成によれば、ケーブルを取り外す場合に、囲繞部の基端から係止突部に向かう方向において基端から離間するほど取付面からの高さが大きくなるように傾斜している係止面に沿ってケーブルを移動させることで、係止片と係止突部との間の隙間にケーブルが案内される。したがって、ケーブルを容易に取り外すことができる。
【００１０】
上記ケーブルの取付構造において、前記係止突部は、前記囲繞部の外側から内側への前記ケーブルの移動を案内する案内面を有しており、前記案内面は、前記囲繞部の基端から前記係止突部に向かう方向において前記囲繞部の基端から離間するほど前記取付面からの高さが小さくなるように傾斜していることが好ましい。
【００１１】
同構成によれば、ケーブルを取り付ける場合に、囲繞部の基端から係止突部に向かう方向において基端から離間するほど取付面からの高さが小さくなるように傾斜している案内面に沿ってケーブルを移動させることで、係止片と係止突部との間の隙間にケーブルが案内される。したがって、ケーブルを容易に取り付けることができる。
【００１２】
上記ケーブルの取付構造において、前記囲繞部の先端部には、前記囲繞部の他の部位よりも脆弱な脆弱部が設けられており、前記係止片は、前記脆弱部が弾性変形することで前記囲繞部に対して傾動可能であることが好ましい。
【００１３】
同構成によれば、係止片は囲繞部の先端部に設けられた脆弱部が弾性変形することで囲繞部に対して傾動される。これにより、係止片を容易に傾動させることができる。したがって、ケーブルの着脱作業を円滑に行うことができる。
【００１４】
上記ケーブルの取付構造において、前記係止片には、前記係止片を傾動させるための操作部が延出されていることが好ましい。
同構成によれば、係止片から延出する操作部を操作することによって係止片を容易に操作することができる。このため、ケーブルの着脱作業を容易に行うことができる。
【００１５】
上記ケーブルの取付構造において、前記操作部は、前記係止片の先端側とは反対側に向かって延出されていることが好ましい。
同構成によれば、例えば操作部が係止片の側方から延出される構成と比較して、囲繞部の先端部を起点として係止片に作用する上記先端部周りの曲げモーメントを大きくすることができる。これにより、係止片を小さな操作力にて容易に傾動させることができる。
【００１６】
上記ケーブルの取付構造において、前記囲繞部には、リブが突設されていることが好ましい。
同構成によれば、リブにより囲繞部の曲げ剛性が高められるため、係止片の傾動時に囲繞部が変形しにくくなる。これにより、係止片を所定の軌跡にて傾動させることができる。したがって、ケーブルの着脱作業を容易に行うことができる。
【発明の効果】
【００１７】
本発明によれば、ケーブルの脱離を簡単な構成によって抑制することができる。
【図面の簡単な説明】
【００１８】
【図１】ケーブルの取付構造が適用されたコネクタにおけるワイヤハーネスの取付構造の一実施形態について、ワイヤハーネスがコネクタに取り付けられた状態を示す斜視図。
【図２】同実施形態におけるワイヤハーネスの取り付け手順を説明するための図であって、（ａ）は、ワイヤハーネスが取り付けられる直前の状態を示す側面図、（ｂ）は、ワイヤハーネスが取り付けられている途中の状態を示す側面図、（ｃ）は、ワイヤハーネスが取り付けられた状態を示す側面図。
【図３】同実施形態におけるワイヤハーネスの取り外し手順を説明するための図であって、（ａ）は、係止片により囲繞部の外側へのワイヤハーネスの移動が阻止されている状態を示す側面図、（ｂ）は、ワイヤハーネスが取り外されている途中の状態を示す側面図。
【図４】第１変更例の係止突部を示す側面図。
【図５】第２変更例の操作部を示す斜視図。
【発明を実施するための形態】
【００１９】
以下、図１〜図３を参照して、本発明のケーブルの取付構造をワイヤハーネスが接続されるコネクタに一体に構成されるワイヤハーネスの取付構造として具体化した一実施形態について説明する。
【００２０】
図１に示すように、本実施形態のワイヤハーネスの取付構造は、樹脂材料からなるコネクタ１０に一体に構成され、ワイヤハーネス１００の長さ方向における途中の部分を着脱可能に取り付けるためのものである。
【００２１】
コネクタ１０は、コネクタ１０の側壁を構成するベース部１１を備えている。ベース部１１は、取付面１１ａを有している。
ベース部１１の取付面１１ａからは、ワイヤハーネス１００の外周を取り囲むとともに取付面１１ａに対して間隔をおいて設けられた先端部２１を有する囲繞部２０が延出している。囲繞部２０は、取付面１１ａに対して直交して延出しており、その先端が湾曲している。したがって、先端部２１は、囲繞部２０の湾曲した部分の先端を構成している。囲繞部２０の外面には、囲繞部２０の延出方向の略全体にわたってリブ２２が突設されている。
【００２２】
囲繞部２０の先端部２１からは、囲繞部２０に対して傾動可能に支持された係止片２３が取付面１１ａに向かって延出している。
囲繞部２０の先端部２１には、囲繞部２０の他の部位よりも脆弱な脆弱部２４が設けられている。本実施形態の脆弱部２４は、上記他の部位よりも弾性変形しやすいように薄肉状に形成されている。
【００２３】
係止片２３には、係止片２３の先端側と反対側に向かって延出した操作部２５が連結されている。したがって、係止片２３と操作部２５とは、囲繞部２０の脆弱部２４（先端部２１）を挟んで互いに反対方向に延出している。このため、操作部２５を操作することにより、脆弱部２４が弾性変形して、係止片２３が脆弱部２４を起点として囲繞部２０に対して傾動される。
【００２４】
ベース部１１の取付面１１ａにおける囲繞部２０の内面に対向する部分には、係止突部３０が突設されている。
係止突部３０の囲繞部２０の基端側には、係止片２３の先端部が係止される係止面３１が形成されている。係止面３１は、囲繞部２０の基端から係止突部３０に向かう方向（以下、方向Ａと称する）において囲繞部２０の基端から離間するほど取付面１１ａからの高さが大きくなるように傾斜している。
【００２５】
係止突部３０の係止面３１の反対側には、囲繞部２０の外側から内側へのワイヤハーネス１００の移動を案内する案内面３２が形成されている。案内面３２は、方向Ａにおいて囲繞部２０の基端から離間するほど取付面１１ａからの高さが小さくなるように傾斜している。
【００２６】
以上のことから、係止突部３０は、係止片２３の弾性力により係止片２３の先端部が係止面３１に係止されることで、囲繞部２０の外側への係止片２３の傾動を阻止する一方、囲繞部２０の内側への係止片２３の傾動を許容する。なお、以降において、係止片２３が係止突部３０の係止面３１に係止されているときの係止片２３の位置を係止位置と称し、係止片２３が係止突部３０の係止面３１から離間しているときの係止片２３の位置を離間位置と称する。
【００２７】
次に、コネクタ１０のベース部１１に対するワイヤハーネス１００の着脱方法について説明する。
まず、ワイヤハーネス１００をベース部１１に取り付ける場合について説明する。
【００２８】
図２（ａ）に示すように、ワイヤハーネス１００がベース部１１に取り付けられる前は、係止片２３が係止位置にあるため、ワイヤハーネス１００の囲繞部２０の内側への移動が規制されている。
【００２９】
図２（ｂ）に示すように、ワイヤハーネス１００をベース部１１に取り付ける場合は、まず、操作部２５を操作することで、係止片２３を離間位置に傾動させる。これにより、係止片２３と係止突部３０との間に隙間が形成される。そして、図２（ｃ）に示すように、上記隙間を通じて囲繞部２０の内側にワイヤハーネス１００を移動させる。このとき、案内面３２に沿ってワイヤハーネス１００を移動させることで、上記隙間にワイヤハーネス１００が案内される。なお、上記隙間はワイヤハーネス１００の外径よりも僅かに小さくなっている。
【００３０】
こうして、ワイヤハーネス１００が囲繞部２０の内側に移動すると、係止片２３が自身の弾性力により再び係止位置に位置するため、ワイヤハーネス１００の囲繞部２０の外側への移動が規制される。
【００３１】
このようにして、ワイヤハーネス１００をベース部１１に取り付けることができる。
続いて、ワイヤハーネス１００をベース部１１から取り外す方法について説明する。
図３（ａ）に示すように、ワイヤハーネス１００がベース部１１に取り付けられた状態においては、係止片２３が係止位置にあるため、ワイヤハーネス１００の囲繞部２０の外側への移動が規制されている、
図３（ｂ）に示すように、ワイヤハーネス１００をベース部１１から取り外す場合は、まず、操作部２５を操作することで係止片２３を離間位置に傾動させる。これにより、係止片２３と係止突部３０との間に隙間が形成される。なお、係止片２３を離間位置に傾動させる際に、係止片２３をベース部１１の取付面１１ａと略水平になる位置まで傾動させることで、上記隙間がワイヤハーネス１００の外径よりも僅かに大きくなる。
【００３２】
次に、上記隙間を通じて囲繞部２０の外側にワイヤハーネス１００を移動させる。
こうして、ワイヤハーネス１００が囲繞部２０の外側に移動すると、係止片２３が自身の弾性力により再び係止位置に位置する。
【００３３】
このようにして、ワイヤハーネス１００をベース部１１から取り外すことができる。
本実施形態の作用及び効果について説明する。
（１）ワイヤハーネスの取付構造は、ベース部１１の取付面１１ａから延出され、ワイヤハーネス１００の外周を取り囲むとともに取付面１１ａに対して間隔をおいて設けられた先端部２１を有する囲繞部２０と、囲繞部２０の先端部２１から取付面１１ａに向かって延出され、囲繞部２０に対して傾動可能に支持された係止片２３とを備える。また、取付面１１ａに突設され、係止片２３の先端部が弾性力により係止されることで囲繞部２０の外側への係止片２３の傾動を阻止する一方、囲繞部２０の内側への係止片２３の傾動を許容する係止突部３０を備える。
【００３４】
こうした構成によれば、係止片２３が係止位置にあるときには、囲繞部２０の先端部２１と係止突部３０との間が係止片２３によって閉じられている。一方、係止片２３が離間位置にあるときには、係止片２３と係止突部３０との間に隙間が形成される。このため、ベース部１１に対してワイヤハーネス１００を取り付ける場合には、係止片２３を離間位置に傾動させることで、上記隙間を通じて囲繞部２０の内側にワイヤハーネス１００を移動させることができる。また、係止片２３に外力が作用していない状態においては、自身の弾性力により係止片２３の先端部が係止突部３０に係止されるため、上記隙間がなくなり、ベース部１１の取付面１１ａ、囲繞部２０、係止片２３、及び係止突部３０によってワイヤハーネス１００の全周が取り囲まれることとなる。更に、係止突部３０に係止片２３の先端部が係止されることによって、囲繞部２０の外側への係止片２３の傾動が阻止される。これにより、ワイヤハーネス１００の脱離を抑制することができる。
【００３５】
一方、ベース部１１からワイヤハーネス１００を取り外す場合には、係止片２３を係止位置に傾動させることで、上記隙間を通じて囲繞部２０の外側にワイヤハーネス１００を移動させることができる。
【００３６】
（２）係止突部３０は、係止片２３の先端部が係止される係止面３１を有しており、係止面３１は、方向Ａにおいて当該基端から離間するほど取付面１１ａからの高さが大きくなるように傾斜している。
【００３７】
こうした構成によれば、ワイヤハーネス１００を取り外す場合に、方向Ａにおいて基端から離間するほど取付面１１ａからの高さが大きくなるように傾斜している係止面３１に沿ってワイヤハーネス１００を移動させることで、係止片２３と係止突部３０との隙間にワイヤハーネス１００が案内される。したがって、ワイヤハーネス１００をベース部１１から容易に取り外すことができる。
【００３８】
（３）係止突部３０は、囲繞部２０の外側から内側へのワイヤハーネス１００の移動を案内する案内面３２を有しており、案内面３２は、方向Ａにおいて囲繞部２０の基端から離間するほど取付面１１ａからの高さが小さくなるように傾斜している。
【００３９】
こうした構成によれば、ワイヤハーネス１００を取り付ける場合に、方向Ａにおいて基端から離間するほど取付面１１ａからの高さが小さくなるように傾斜している案内面３２に沿ってワイヤハーネス１００を移動させることで、係止片２３と係止突部３０との隙間にワイヤハーネス１００が案内される。したがって、ワイヤハーネス１００をベース部１１に容易に取り付けることができる。
【００４０】
（４）囲繞部２０の先端部２１には、囲繞部２０の他の部位よりも脆弱な脆弱部２４が設けられており、係止片２３は、脆弱部２４が弾性変形することで囲繞部２０に対して傾動可能である。
【００４１】
こうした構成によれば、係止片２３は囲繞部２０の先端部２１に設けられた脆弱部２４が弾性変形することで囲繞部２０に対して傾動される。これにより、係止片２３を容易に傾動させることができる。したがって、ワイヤハーネス１００のベース部１１に対する着脱作業を円滑に行うことができる。
【００４２】
（５）係止片２３には、係止片２３を傾動させるための操作部２５が係止片２３の先端側とは反対側に向かって延出されている。
こうした構成によれば、例えば操作部２５が係止片２３の側方から延出される構成と比較して、囲繞部２０の先端部２１を起点として係止片に作用する先端部２１周りの曲げモーメントを大きくすることができる。これにより、係止片２３を小さな操作力にて容易に傾動させることができる。したがって、ワイヤハーネス１００のベース部１１に対する着脱作業を容易に行うことができる。
【００４３】
（６）囲繞部２０の外面には、リブ２２が突設されている。
こうした構成によれば、リブ２２により囲繞部２０の曲げ剛性が高められるため、係止片２３の傾動時に囲繞部２０が変形しにくくなる。これにより、係止片２３を所定の軌跡にて傾動させることができる。したがって、ワイヤハーネス１００のベース部１１に対する着脱作業を容易に行うことができる。
【００４４】
本実施形態は、以下のように変更して実施することができる。本実施形態及び以下の変更例は、技術的に矛盾しない範囲で互いに組み合わせて実施することができる。
・リブ２２を省略することもできる。この場合、囲繞部の厚みを大きくすることで当該囲繞部の曲げ剛性を確保するようにしてもよい。
【００４５】
・図５に示すように、係止片２３の両側方から延出された操作部２２５を採用することもできる。この場合、コネクタ１０の体格がベース部１１から離間する側に増大することを抑制できる。
【００４６】
・操作部２５を省略することもできる。この場合、例えば、係止片２３を押圧することで係止片２３を傾動させればよい。
・先端部２１の幅を囲繞部２０よりも小さくすることで脆弱部を構成することもできる。また、先端部２１に複数の孔を設けることで脆弱部を構成することもできる。
【００４７】
・脆弱部２４は省略することもできる。
・図４に示すように、それぞれ取付面１１ａに対して直交する方向に沿って延在する係止面１３１及び案内面１３２を有する係止突部１３０を採用することもできる。
【００４８】
・係止突部は、係止面３１及び案内面３２のいずれか一方のみを有するものであってもよい。
・本発明を車両のドアトリムやインストルメントパネルなどの車両内装材に適用してもよい。
【００４９】
・本発明を電気機器などに用いられるワイヤハーネス１００以外のケーブルの取付構造に対して適用することもできる。
【符号の説明】
【００５０】
１０…コネクタ、１１…ベース部、１１ａ…取付面、２０…囲繞部、２１…先端部、２２…リブ、２３…係止片、２４…脆弱部、２５…操作部、３０…係止突部、３１…係止面、３２…案内面、１００…ワイヤハーネス、１３０…係止突部、１３１…係止面、１３２…案内面、２２５…操作部。
【図１】
2020072497.tif 000003
【図２】
2020072497.tif 000004
【図３】
2020072497.tif 000005
【図４】
2020072497.tif 000006
【図５】
2020072497.tif 000007